(57)【要約】【課題】切り口の外観を損なうことなく指先によって任意の位置で容易に切断することができるロールテープを提供する。【解決手段】粘着テープ１の中央領域Ａに、仮想切断線Ｄに沿って延びる長尺切れ目２１を設けた。この長尺切れ目２１の長さを、隣接領域Ｂに設けられた第２隣接切れ目２２及び外側領域Ｃに設けられた外側切れ目２３の長さよりも長くした。前記粘着テープ１の隣接領域Ｂ及び外側領域Ｃが、前記粘着テープ１を繰り出す際に生じる引っ張り応力に耐え得る引っ張り強さを備えている。【選択図】図２
2013155251.tif 000002
【特許請求の範囲】
【請求項１】
長尺のテープ本体の片面に粘着剤が積層されているロール状の粘着テープを、所定長さ繰り出した状態で所望の長さに切断するための切れ目が、粘着テープの幅方向に延びる仮想切断線に沿って複数形成されているロールテープであって、
前記切れ目が、
仮想切断線のうちの幅方向の中央領域に設けられ、前記粘着テープを繰り出すことによって開口し、開口した状態で前記中央領域又はその近傍を指で押圧することによって、前記中央領域の両端部を起点として、前記中央領域の幅方向の両側領域に設けられた切れ目に沿って粘着テープを切断させる、前記両側領域に設けられた切れ目よりも長い長尺切れ目を有し、
前記両側領域が、前記粘着テープを繰り出す際に生じる引っ張り応力に耐え得る引っ張り強さを備えていることを特徴とするロールテープ。
【請求項２】
前記切れ目が、前記両側領域のうちの前記中央領域の両側に隣接する隣接領域に設けられた第１隣接切れ目を有し、この第１隣接切れ目が、前記仮想切断線と交差した状態で、粘着テープの長手方向に延びている請求項１記載のロールテープ。
【請求項３】
前記切れ目が、前記両側領域のうちの前記隣接領域の幅方向端部から粘着テープの側縁に至る外側領域にミシン目状に複数配列された、外側切れ目を有している請求項２記載のロールテープ。
【請求項４】
前記隣接領域に、前記仮想切断線に沿って延びる第２隣接切れ目が前記第１隣接切れ目に隣接して設けられている請求項２記載のロールテープ。
【請求項５】
前記テープ本体が不織布で形成されている請求項１記載のロールテープ。
【発明の詳細な説明】
【技術分野】
【０００１】
本発明は、長尺の粘着テープを巻回したロールテープに関する。
【背景技術】
【０００２】
従来から、医療現場においては、サージカルテープや絆創膏等、粘着テープ本体に粘着剤を積層した粘着テープが多用されている。この粘着テープは、通常、円筒形のロール芯に巻回したロールテープとして提供されている。前記粘着テープは、人体の皮膚に直接貼り付けられることがあるため、通気性や柔軟性、透湿性が要求される。このため、前記粘着テープ本体を、レーヨン繊維等からなる薄い不織布で形成したものが提供されている（例えば、特許文献１参照）。
【先行技術文献】
【特許文献】
【０００３】
【特許文献１】特開２０００−１１６６９５
【発明の概要】
【発明が解決しようとする課題】
【０００４】
粘着テープ本体が薄い不織布によって形成された前記粘着テープは、通気性や柔軟性、透湿性等に優れ、皮膚に貼り付けたときの違和感が少なく、前記粘着テープに適した機能を有している。しかし、特に不織布は、引っ張り強さが強いことから、例えば、指先で粘着テープを引っ張って切断しようとしても、容易に切断することができない。また、粘着テープを無理やり切断すると、切り口が粘着テープの長手方向に対して直角にならなかったり、切り口がジグザグ状になったりする等、切り口の外観を損ねてしまう。
【０００５】
このため、通常、ハサミを用いることにより、切り口の外観を損なうことなく粘着テープを切断することが行われている。
しかし、粘着テープをハサミで切断する場合には、手で切断する場合と比較して、ハサミを用意したり、ハサミを持ったり置いたりする等の余分な作業が必要となる。このため特に、粘着テープを貼り付ける箇所が多ければ多いほど、上述のような余分な作業が増加し、時間や労力に大きな無駄が生じることになる。
【０００６】
また、上述のようなハサミによる切断を効率的に行うために、前記粘着テープの切断作業をまとめて行い、必要と思われる長さの粘着テープの切断片を予め複数作製しておくことが考えられる。しかし、この場合、実際に人体に貼り付ける際に、長さが合わなかったり、必要数を超える数量を切断したりすることがあり、無駄に粘着テープを使用してしまうおそれがある。
【０００７】
さらに、医療現場において、患者の顔等に当てたガーゼを粘着テープで固定し、その粘着テープをハサミで切断しようとすれば、患者の顔にハサミを近づけて使用することとなり、当該患者に大きな不快感を与えるおそれもある。
【０００８】
そこで、手の指によって切り口の外観を損なうことなく粘着テープを切断できるようにするために、図１０（ａ）に示すように、粘着テープＴの幅方向に沿って、予めミシン目状に切れ目Ｘを形成しておくことが考えられる。
しかし、粘着テープＴを切断し易いように、切れ目Ｘの長さを長くしたり、切れ目Ｘと切れ目Ｘとの間である未切断部Ｙの長さを短くしたりすると、当該切れ目Ｘを形成した部分において粘着テープの引っ張り強さが弱くなるので、粘着テープＴをロールから引き剥がしながら長手方向に引っ張ると、図１０（ｂ）に示すように、粘着テープＴが、その幅方向の一側縁Ｔ１を起点として、もしくは、幅方向全体が一瞬に断裂して容易に切断されてしまう。このため、ロールテープから粘着テープを繰り出すために当該粘着テープＴの先端を長手方向に引っ張っただけで、切断したい位置以外の不本意な位置の切れ目部分で粘着テープＴが切断されてしまう場合がある。
【０００９】
このように粘着テープが不本意な位置で容易に切断されてしまうのを防止するために、不織布自体の厚みを厚くして切れ目Ｘを形成した部分の引っ張り強さを高めることも考えられる。しかし、不織布の厚みを厚くすると、柔軟性が損なわれ、粘着テープを皮膚に貼り付けたときの違和感が大きくなる。
また、図１１（ａ）（ｂ）に示すように、切れ目Ｘの長さに対して、未切断部Ｙの長さを相対的に長くすると、粘着テープの引っ張り強さを高めることができるが、この場合、切れ目Ｘとしての機能が低下するので、粘着テープＴを引っ張った状態で、これをそのまま切断しようとすると、非常に強い力で引っ張らないと切ることができず、また、無理矢理に引っ張って切った場合には、特に未切断部Ｙ部分の切り口の外観が損なわれてしまう。
【００１０】
以上の理由から、薄い不織布等からなる粘着テープを切断する際に、ハサミを用いなくても、切り口の外観を損なうことなく指先で容易に切断することができる方策が嘱望されていた。
【００１１】
本発明はこのような事情に鑑みてなされたものであり、切り口の外観を損なうことなく指先によって所望の位置で粘着テープを容易に切断することができるロールテープを提供することを目的とする。
【課題を解決するための手段】
【００１２】
（１）本発明は、長尺のテープ本体の片面に粘着剤が積層されているロール状の粘着テープを、所定長さ繰り出した状態で所望の長さに切断するための切れ目が、粘着テープの幅方向に延びる仮想切断線に沿って複数形成されているロールテープであって、前記切れ目が、仮想切断線のうちの幅方向の中央領域に設けられ、前記粘着テープを繰り出すことによって開口し、開口した状態で前記中央領域又はその近傍を指で押圧することによって、前記中央領域の両端部を起点として、前記中央領域の幅方向の両側領域に設けられた切れ目に沿って粘着テープを切断させる、前記両側領域に設けられた切れ目よりも長い長尺切れ目を有し、前記両側領域が、前記粘着テープを繰り出す際に生じる引っ張り応力に耐え得る引っ張り強さを備えていることを特徴としている。
【００１３】
前記構成のロールテープによれば、粘着テープにおける仮想切断線のうちの幅方向の中央領域に、両側領域に設けられた切れ目よりも長い長尺切れ目が構成されているので、一方の手でロールテープを把持し、他方の手で粘着テープの先端部を引っ張って、巻回された粘着テープをロール部分から引き剥がしながら繰り出すと、前記長尺切れ目が両側領域の切れ目よりもテープの長手方向に大きく開口する。
これにより、粘着テープが前記長尺切れ目の両端部を起点として、テープの幅方向外方に向かって破断しようとする。しかし、前記中央領域の両側の両側領域が、前記粘着テープを繰り出す際に生じる引っ張り応力に耐え得る引っ張り強さを備えているので、粘着テープが切断されるのを中央領域の両側の領域によって阻止することができる。
【００１４】
この状態で、作業者は前記他方の手で粘着テープを引っ張ったまま、ロールテープを把持している前記一方の手の指先（爪先）を、粘着テープのうちの切断しようとする位置の長尺切れ目部分又はその近傍に押し付けると、粘着テープの中央領域に応力集中が生じるので、長尺切れ目の両端が裂けて広げられる。これにより、長尺切れ目の両側の領域を仮想切断線に沿って切断することができる。
【００１５】
（２）前記ロールテープにおいて、前記切れ目が、前記両側領域のうちの前記中央領域の両側に隣接する隣接領域に設けられた第１隣接切れ目を有し、この第１隣接切れ目が、前記仮想切断線と交差した状態で、粘着テープの長手方向に延びているのが好ましい。
この場合には、前記第１隣接切れ目が粘着テープの長手方向に延びているので、当該隣接領域の引っ張り強さを容易に確保することができる。このため、厚みの薄い粘着テープについても、隣接領域によって両側領域の引っ張り強さを容易に確保することができる。また、前記第１隣接切れ目が前記仮想切断線と交差しているので、前記隣接領域を容易に切断することができる。
【００１６】
（３）前記ロールテープにおいて、前記切れ目が、前記両側領域のうちの前記隣接領域の幅方向端部から粘着テープの側縁に至る外側領域にミシン目状に複数配列された、外側切れ目を有していることが好ましい。
この場合、長尺切れ目の両端が裂けて広げられ、隣接領域が切断されたときに、外側領域に複数配列された外側切れ目によって、外側領域にまで亘って、外観を損なうことなく容易に切断することができる。
【００１７】
（４）前記隣接領域には、前記仮想切断線に沿って延びる第２隣接切れ目が前記第１隣接切れ目に隣接して設けられていてもよい。
この場合には、幅の広いロールテープについても、前記第２隣接切れ目によって、外観を損なうことなく容易に切断することができる。
（５）前記テープ本体は、不織布で形成されているのが好ましい。この場合、手で切断し難い不織布からなるテープ本体についても、外観を損なうことなく容易に切断することができる。
【発明の効果】
【００１８】
本発明によるロールテープによれば、粘着テープを切り口の外観を損なうことなく指先によって任意の位置で容易に切断することができる。
【図面の簡単な説明】
【００１９】
【図１】本発明の第一の実施形態に係るロールテープの斜視図である。
【図２】粘着テープの切断部を示す部分拡大図である。
【図３】粘着テープをロール部分から繰り出した状態を示す斜視図である。
【図４】粘着テープを切断する手順を示す斜視図である。
【図５】粘着テープを切断する手順を示す平面図である。
【図６】粘着テープに親指を押し付けた状態を示す斜視図である。
【図７】粘着テープに親指を押し付けた状態を示すを平面図である。
【図８】本発明の第二の実施形態に係るロールテープの切断部を示す部分拡大図である。
【図９】粘着テープを切断する手順を示す斜視図である。
【図１０】ミシン目状に切れ目が設けられた粘着テープを示す概略平面図である。
【図１１】他のミシン目状の切れ目が設けられた粘着テープを示す概略平面図である。
【発明を実施するための形態】
【００２０】
以下、本発明の実施形態を添付図面に基づいて説明する。
図１は、本発明の第一の実施形態に係るロールテープＲを示す斜視図である。このロールテープＲは、長尺の粘着テープ１を円筒形のロール芯２に多重巻きしたものであり、サージカルテープとして用いられるものである。このサージカルテープは、医療分野において、包帯やガーゼ等を固定するために用いられ、患者の皮膚等に直接貼り付けることが可能である。
前記粘着テープ１のテープ本体１ｃは、レーヨン繊維等を用いた極薄の不織布によって形成されており、高い通気性、柔軟性、及び透湿性を有している。粘着テープ１の裏面には、当該粘着テープ１を患者の皮膚等の被貼付部に貼り付けるための粘着剤１ａが積層されている。
【００２１】
粘着テープ１には、当該粘着テープ１をその幅方向に沿って選択的に切断するための切断部１１が多数形成されている。この切断部１１は粘着テープ１の長手方向（以下単に「長手方向」という）に沿って一定間隔ごとに形成されている。この切断部１１には、幅方向に直線的に延びる仮想切断線Ｄに沿って複数種の切れ目２０が形成されている。前記切断部１１は、長手方向に沿って１０ｍｍのピッチＰで形成されている。
【００２２】
図２も参照して、前記粘着テープ１の仮想切断線Ｄは、前記切断部１１において、粘着テープ１の幅方向（以下単に「幅方向」という）の中央部に設定された中央領域Ａと、この中央領域Ａの幅方向の両側に隣接して設定された隣接領域Ｂと、この隣接領域Ｂの幅方向の両端から粘着テープ１の側縁１ｂに至る範囲に設定された外側領域Ｃとに区分されている。
【００２３】
切断部１１に設けられた各切れ目２０は、粘着テープ１を貫通しており、互いに隣接する切れ目２０同士の間は、切れ目が入っていない未切断部３０として構成されている。なお、幅方向一方側の切れ目２０と、幅方向他方側の切れ目２０とは、粘着テープ１の中心線Ｃに対して線対称に形成されている。
【００２４】
前記各切れ目２０は、粘着テープ１の前記中央領域Ａに設けられた長尺切れ目２１と、前記隣接領域Ｂに設けられた一対の第１隣接切れ目２４，２５及び第２隣接切れ目２２と、前記外側領域Ｃに設けられた外側切れ目２３とを有している。
前記長尺切れ目２１は仮想切断線Ｄに沿って中央領域Ａの全幅に亘って設けられている。
【００２５】
前記第１隣接切れ目２４，２５は、それぞれ仮想切断線Ｄを基端として長手方向に延びている。また、一方の第１隣接切れ目２４は、長尺切れ目２１の端部に対して未切断部３１を介して隣接しており、他方の第１隣接切れ目２５は、隣接領域Ｂに最も近い外側切れ目２３に対して未切断部３４を介して隣接している。なお、この第１隣接切れ目２４，２５は、それぞれ仮想切断線Ｄと交差していればよく、必ずしも当該仮想切断線Ｄを基端としている必要はない。
前記第２隣接切れ目２２は、仮想切断線Ｄに沿って延びており、未切断部３２，３５を介して前記第１隣接切れ目２４，２５に隣接している。
【００２６】
中央領域Ａの幅方向に位置する、前記隣接領域Ｂ及び外側領域Ｃにより構成されている両側領域は、ロール部分Ｒ１から粘着テープ１を繰り出す際に生じる引っ張り応力に耐え得る引っ張り強さを有している。この引っ張り強さは、隣接領域Ｂの未切断部３１，３２，３４，３５を所定値以上に設定することにより確保している。ここに、前記第１隣接切れ目２４，２５が、幅方向でなく長手方向に延びているので、隣接領域Ｂにおける長手方向の引っ張り強さをほとんど低下させることはない。このため、厚みの薄いテープ本体１ｃであっても、隣接領域Ｂの引っ張り強さを容易に確保することができる。
【００２７】
前記長尺切れ目２１の全幅Ｌ０（片側の幅方向寸法Ｌ１×２）、第２隣接切れ目２２の幅方向寸法Ｌ２及び外側切れ目２３の幅方向寸法Ｌ３は、以下の関係になるように設定されている。
Ｌ０＞Ｌ２＞Ｌ３
従って、粘着テープ１を長手方向に引っ張った際に粘着テープ１に生じる開口の長手方向の寸法が、以下に示すように、外側切れ目２３、第２隣接切れ目２２、長尺切れ目２１の順に大きくなる。
外側切れ目２３  ＜  第２隣接切れ目２２  ＜  長尺切れ目２１
また、前記長尺切れ目２１の全幅Ｌ０は、例えば、第２隣接切れ目２２の幅方向寸法Ｌ２及び外側切れ目２３の幅方向寸法Ｌ３の１．５〜６倍に設定され、より好ましくは、第２隣接切れ目２２の幅方向寸法Ｌ２の３〜５倍に、及び／又は、外側切れ目２３の幅方向寸法Ｌ３の６〜７倍にそれぞれ設定される。これら各寸法は、粘着テープ１の材質、幅方向寸法及び厚みを考慮して適宜設定される。
【００２８】
また後述するように、長尺切れ目２１は、粘着テープ１を繰り出すことで開口し、開口した当該長尺切れ目２１によって、作業者は切断しようとする切れ目２０を特定する。
従って、長尺切れ目２１の全幅Ｌ０は、粘着テープ１を繰り出したときに、作業者が目視によって認識可能な程度に開口しうる値に設定される。具体的な値としては、粘着テープ１の材質や厚みにもよるが、２ｍｍ以上に設定されていれば、粘着テープ１を繰り出したときの長尺切れ目２１の開口は目視によって容易に認識することができる。
【００２９】
さらに、後述するように、粘着テープ１を指で押圧することによって、長尺切れ目２１の両端部が粘着テープ１を切断する際の起点となる。このため、長尺切れ目２１の全幅Ｌ０は、粘着テープ１を指で押圧した際に、長尺切れ目２１の両端部を裂け広げることができる程度に十分な応力を作用させることが可能な寸法に設定される。例えば、全幅Ｌ０が、一般的な成人の指の幅寸法以下、さらに好ましくは、爪の幅寸法以下であれば、指又は爪を押し付けることで生じる応力を、長尺切れ目２１の幅方向全体に対して作用させることができる。よって、全幅Ｌ０が、一般的な成人の指の幅寸法以下、さらに好ましくは、爪の幅寸法以下であることが好ましい。
また、長尺切れ目２１の全幅Ｌ０は、粘着テープ１の幅寸法Ｗの１／３以下に設定されていることが好ましい。粘着テープ１の材質や幅寸法Ｗにもよるが、一般に両側領域が幅寸法Ｗの１／３以下となると、粘着テープ１を繰り出す際に生じる引っ張り応力に耐え得る引っ張り強さを維持できない場合があるからである。
【００３０】
一方、第２隣接切れ目２２及び外側切れ目２３は、粘着テープ１を繰り出したときに開口する必要性は低い。このため、長尺切れ目２１の開口をより目立たせるために、第２隣接切れ目２２及び外側切れ目２３の幅寸法Ｌ２，Ｌ３は、粘着テープ１を繰り出したときの開口が長尺切れ目２１よりも小さくなるように、又は、ほとんど開口が生じないように、長尺切れ目２１の全幅Ｌ０よりも小さい値に設定される。
このような、第２隣接切れ目２２及び外側切れ目２３の幅寸法Ｌ２，Ｌ３は、上記で示した条件によって定められることが好ましい。
【００３１】
本実施形態において、粘着テープ１の幅方向寸法Ｗ、各切れ目２０の幅方向寸法Ｌ１〜Ｌ３、各未切断部の幅方向寸法Ｍ１〜Ｍ５、及び第１隣接切れ目２４，２５の長手方向寸法Ｎは、下記の通りに設定されている。
Ｗ    ＝  ２５  ｍｍ
Ｌ１  ＝    ２  ｍｍ
Ｌ２  ＝    １  ｍｍ
Ｌ３  ＝    ０．５９  ｍｍ
Ｍ１  ＝    １  ｍｍ
Ｍ２  ＝    １  ｍｍ
Ｍ３  ＝    １  ｍｍ
Ｍ４  ＝    ０．５９  ｍｍ
Ｍ５  ＝    ０．５９  ｍｍ
Ｎ    ＝    １  ｍｍ
【００３２】
次に、前記の構成のロールテープＲを作業者が切断する際の手順について説明する。
図３に示すように、作業者はまず、ロールテープＲのロールＲ１部分を一方の手で把持し、他方の手で粘着テープ１の自由端側を掴む。この際、前記ロールテープＲは、人差し指Ｆ（もしくは中指、もしくは中指と薬指とを）をロール芯２に挿入し、親指ＨをロールＲ１の外周に沿わせた状態で把持するのが好ましい。
【００３３】
次いで、粘着テープ１を長手方向に引っ張って、ロールＲ１から引き剥がしながら必要な長さだけ繰り出す。このように、粘着テープ１が長手方向に引っ張られることにより、図３に示すように、長尺切れ目２１が、他の切れ目よりも長手方向に大きく開口する。このとき、粘着テープ１が前記長尺切れ目２１の両端部を起点として、幅方向外方に向かって破断しようとする。しかし、前記隣接領域Ｂ及び外側領域Ｃが一体で上述の両側領域として、粘着テープ１を繰り出す際に生じる引っ張り応力に耐え得る引っ張り強さを有しているので、粘着テープ１が切断されるのを当該両側領域（隣接領域Ｂ及び外側領域Ｃ）によって阻止することができる。
【００３４】
この状態で、長尺切れ目２１が大きく開口しているので、作業者は切断しようとする切れ目２０を容易に特定することができる。そこで、粘着テープ１を引っ張った状態を維持しながら、ロールＲ１を把持している一方の手の親指Ｈの指先（爪先）を、前記特定した切れ目２０の長尺切れ目２１部分に押し付ける（図５ａ参照）。この指先を長尺切れ目２１部分に押し付ける動作は、ロールＲ１を図４ａにおいて時計回り方向に一定角度回動させて、指先の腹部Ｈ１に粘着テープ１を徐々に巻き掛けることにより、簡単に行うことができる。この際、前記指先の幅方向の中心位置と、長尺切れ目２１の幅方向の中心位置とはほぼ一致させておく。
このように、粘着テープ１を親指Ｈで押圧すると、粘着テープ１の中央領域Ａの引っ張り応力が増加するとともに、当該中央領域Ａに応力集中が生じるので、長尺切れ目２１の両端部を破断させて長手方向に押し広げることができる（図４ｂ参照）。
【００３５】
親指Ｈの指先によって長尺切れ目２１の両端部を押し広げると、当該長尺切れ目２１の両側の隣接領域Ｂを仮想切断線Ｄに沿って切断することができる（図５ｂ参照）。この際、隣接領域Ｂに設けられた一対の第１隣接切れ目２４，２５と第２隣接切れ目２２とによって、当該隣接領域Ｂを仮想切断線Ｄに沿って外観を損なうことなく容易に切断することができる。特に、前記隣接領域Ｂには、一対の第１隣接切れ目２４，２５に加えて第２隣接切れ目２２が設けられているので、粘着テープ１の幅寸法に応じて隣接領域Ｂの幅寸法を広くした場合でも、当該隣接領域Ｂを確実に切断することができる。
【００３６】
そして、前記隣接領域Ｂが完全に切断されると、外側領域Ｃの切断が複数の外側切れ目２３に沿って進行し（図５ｃ参照）、最終的に粘着テープ１を所望の長さに切断することができる（図５ｄ参照）。この外側領域Ｃについても、ミシン目状に配列された外側切れ目２３によって、外観を損なうことなく容易に切断することができる。従って、粘着テープ１を、仮想切断線Ｄに沿った切り口全体の外観を損なうことなくほぼ直線的に切断することができる。
【００３７】
ここに、親指Ｈの指先を上方から見たときの先端縁の形状（図５参照）、指先の腹部Ｈ１を側方から見たときの指の長手方向に沿った形状（図４参照）、及び指先の腹部Ｈ１の指幅方向に沿った形状の何れについても、ほぼ円弧状に湾曲しているので、指先を粘着テープ１に押し付けると、粘着テープ１に対して指先を押し付ける角度に関係なく、粘着テープ１が幅方向に沿って円弧状に凹入変形することになる（図７参照）。
このため、粘着テープ１の隣接領域Ｂ及び外側領域Ｃにおいては、それぞれ幅方向の中央寄りと粘着テープ１の側縁１ｂ寄りとで段差が生じ、この段差によって、前記切断部１１に引っ張り応力に加えて剪断応力が作用することになる。このため、当該隣接領域Ｂ及び外側領域Ｃについても、仮想切断線Ｄに沿って支障なく切断することができる。
【００３８】
以上のように、本実施形態の粘着テープ１によれば、粘着テープ１を繰り出す際には、隣接領域Ｂ及び外側領域Ｃからなる両側領域によって、長手方向の引っ張り強さが確保されるので、切断してしまうことなく粘着テープ１を繰り出すことができる。
一方、切断する際には、開口している長尺切れ目２１の近傍を指で押圧することによって、応力集中を生じさせて隣接領域Ｂを切断する。このとき、隣接領域Ｂには、長手方向に延びる第１隣接切れ目２４，２５が形成されているので、長手方向に引っ張られても切断しないが、指で押圧することによる応力集中によっては容易に切断される。これによって、順次、外側領域Ｃについても切断が進行し、外観を損なうことなく容易に切断される。
【００３９】
なお、この外側領域Ｃの外側切れ目２３は、比較的容易に切断可能な寸法に設定されていてもよい。これは、作業者による上述の切断時には、仮想切断線Ｄにおける外側領域Ｃには、粘着テープ１の側縁１ｂ側よりも、作業者の指に近く、かつ応力集中が生じる中央領域Ａの長尺切れ目２１側により大きな応力が作用する。よって、粘着テープ１の側縁１ｂ側が起点となって切断が生じる可能性が低いからである。
また、外側領域Ｃの外側切れ目２３は、隣接領域Ｂが切断された後に、外側領域Ｃの切断を仮想切断線Ｄに沿って進行させるものであり、粘着テープ１の幅寸法Ｗが作業者の指の幅寸法よりも広く、作業者が指で粘着テープ１を押圧した際に十分な応力を及ばせ難い場合に、その応力を及ばせ難い領域を外側領域Ｃに設定し、外側切れ目２３を設ける。
【００４０】
このように、本実施形態の粘着テープ１では、粘着テープ１を引き出し、所望の部分で粘着テープ１を親指Ｈで押さえながら、ロール芯２を回転させるといったワンタッチ動作で粘着テープ１を容易に切断することができる。
なお、粘着テープ１の長尺切れ目２１部分を、親指Ｈの指先で押圧する動作については、前記したロールＲ１を一定角度回動させる方法の他、粘着テープ１を掴んだ手で、繰り出した粘着テープ１を親指Ｈの指先を起点として図４において右斜め上方に一定角度回動させて、指先の腹部Ｈ１に粘着テープ１を徐々に巻き掛けることにより行ってもよい。
【００４１】
前記実施形態においては、前記切断部１１を、長手方向に沿って１０ｍｍのピッチ間隔で形成しているので、作業者は切断部１１の位置を特に意識しなくても粘着テープ１を支障なく切断することができる。
この点について、図６を参照してさらに詳述する。図６において、（ａ）は、親指Ｈの指先を粘着テープ１の任意の切断部１１の直近に押し付けた場合、（ｂ）は、指先を前記切断部１１に直接押し付けた場合、（ｃ）は、指先を前記切断部１１と、これに隣接された切断部１１との間のほぼ中央位置に押し付けた場合をそれぞれ示している。
図６から明らかなように、指先を粘着テープ１の何れの位置に押し付けたとしても、その近傍（１０ｍｍ以内の範囲）に必ず切断部１１が存在することになる。
【００４２】
上述したように、指先を押し付けた粘着テープ１は幅方向に沿って円弧状に凹入変形するので、長尺切れ目２１の幅方向の中心付近が最も強く引っ張られることになる。これにより、粘着テープ１に押し付けた指先が、その近傍の切断部１１から離れていても、長尺切れ目２１の両端部を支障なく破断させることができる。
【００４３】
また、この場合においても、粘着テープ１が幅方向に沿って円弧状に凹入変形することにより、粘着テープ１の隣接領域Ｂ及び外側領域Ｃにおいては、それぞれ幅方向の中央寄りと粘着テープ１の側縁１ｂ寄りとで段差が生じ、この段差による、引っ張り応力及びせん断応力が前記切断部１１に作用することになる。このため、当該隣接領域Ｂ及び外側領域Ｃについても、仮想切断線Ｄに沿って支障なく切断することができる。
従って、作業者は、特に切れ目２０の存在を意識しなくても、切断しようとする位置の近傍の切断部１１によって、粘着テープ１を支障なく切断することができる。このため、粘着テープ１を切断する作業を効率的に行うことができる。
【００４４】
以上のように、本実施形態のロールテープＲによれば、粘着テープ１を繰り出すことで開口し、開口した状態で中央領域Ａ又はその近傍を指で押圧することで中央領域Ａの両端部を起点として仮想切断線Ｄに沿って粘着テープ１を切断させる長尺切れ目２１を中央領域Ａに有しているので、粘着テープ１を、仮想切断線Ｄに沿った切り口全体の外観を損なうことなくほぼ直線的に切断することができる。
【００４５】
図８は、本発明の第二の実施形態に係るロールテープＲの切断部１１を示す部分拡大図である。本実施形態と第一の実施形態との相違点は、粘着テープ１の幅方向寸法Ｗが、１２．５ｍｍに設定されている点、並びに第２隣接切れ目２５及び未切断部３２，３４が形成されていない点である。
【００４６】
第二の実施形態の切断部１１を構成している切れ目２０は、中央領域Ａに設けられた長尺切れ目２１と、未切断部３１を介して隣接領域Ｂに設けられた第１隣接切れ目２４と、未切断部３５を介して外側領域Ｃに設けられた複数の外側切れ目２３とを有している。
【００４７】
本実施形態における、各切れ目部の幅方向寸法Ｌ１，Ｌ３１，Ｌ３２、各未切断部の寸幅方向法Ｍ１，Ｍ２，Ｍ５、及び第１隣接切れ目２４の長手方向寸法Ｎは、下記の通りに設定されている。
Ｗ    ＝  １２．５  ｍｍ
Ｌ１  ＝    １．５  ｍｍ
Ｌ３１＝    １  ｍｍ
Ｌ３２＝    ０．６５  ｍｍ
Ｍ１  ＝    １  ｍｍ
Ｍ２  ＝    ０．８  ｍｍ
Ｍ５  ＝    ０．６５  ｍｍ
Ｎ    ＝    １  ｍｍ
【００４８】
前記第二の実施形態において、粘着テープ１を切断するには、前記第一の実施形態と同様に、開口した中央切れ目２１部分に指先を押し付ければよい（図９参照）。
なお、本実施形態の粘着テープ１は、幅方向寸法Ｗが、成人の親指Ｈの幅寸法と同等かやや小さい値である１２．５ｍｍに設定されているので、粘着テープ１の表面を親指Ｈで押圧すると、粘着テープ１の幅方向のほぼ全域を押圧することができる。このような場合、未切断部３０の幅方向寸法を多少大きく設定したとしても、粘着テープ１を容易に押し切ることができる。
このため、本実施形態においては、長手方向に延びる第１隣接切れ目２４を、各隣接領域Ｂにそれぞれ一つだけ設けたとしても、容易に押し切ることができる。
このように、切断部１１における、長手方向に延びる第１隣接切れ目２４は、粘着テープ１に応じてその作製数を適宜調整して設けることができる。
【００４９】
本実施形態の切れ目２０では、第１隣接切れ目２４を一つだけ設けているので、隣り合う外側切れ目２３の間に位置する未切断部３３の寸法を第一の実施形態の場合（０．５９ｍｍ）よりも大きく設定して、切れ目２０の引っ張り強さが適切となるように調整している。
このように、各未切断部３０の寸法についても、粘着テープ１の幅方向寸法Ｗ等に応じて、適宜調整して設定することができる。
【００５０】
本発明は、前記実施形態に限定されるものではない。上記各実施形態では、切断部１１に、第１隣接切れ目２４，２５を形成した場合を例示したが、例えば、隣接領域Ｂの幅方向寸法が、所定の引っ張り強度を確保できる範囲で比較的狭く設定されている場合には、切断部１１について、第１隣接切れ目２４，２５を設けずに第２隣接切れ目２２だけを設けた構成としてもよい。これは、隣接領域Ｂが比較的狭く設定されていれば、第１隣接切れ目２４，２５を設けなくても、第２隣接切れ目２２だけで、隣接領域Ｂを比較的容易に切断することができるからである。
また、粘着テープ１の幅寸法Ｗが、例えば成人の指の幅よりも極端に狭く、外側領域Ｃを確保できない場合には、外側切れ目２３を形成しないで実施することもある。
【００５１】
前記各実施形態では、本発明の粘着テープとして、サージカルテープに適用した場合を例示したが、例えば、ビニール粘着テープ等、適度な強度や柔軟性を有する素材を用いて形成された粘着テープに対しても適用することができる。
【符号の説明】
【００５２】
１    粘着テープ
１ａ  粘着剤
１ｂ  側縁
１ｃ  テープ本体
２    ロール芯
１１  切断部
２０  切れ目
２１  長尺切れ目
２２  第２隣接切れ目
２３  外側切れ目
２４  第１隣接切れ目
２５  第１隣接切れ目
３０  未切断部
Ａ    中央領域
Ｂ    隣接領域
Ｃ    外側領域
Ｄ    仮想切断線
【図１】
2013155251.tif 000003
【図２】
2013155251.tif 000004
【図３】
2013155251.tif 000005
【図４】
2013155251.tif 000006
【図５】
2013155251.tif 000007
【図６】
2013155251.tif 000008
【図７】
2013155251.tif 000009
【図８】
2013155251.tif 000010
【図９】
2013155251.tif 000011
【図１０】
2013155251.tif 000012
【図１１】
2013155251.tif 000013